(57)【要約】ヘッド部材及び長ハンドルを有する形態転換可能な表面接触器具である。ヘッド部材は、基部と、この基部により坦持した表面接触部材とを有する。ヘッド部材は、基部を短ハンドルとして作用させることにより短ハンドルの表面接触器具を構成するようになっている。第１連結部を基部に設け、第２連結部がこの第１連結部と協働して長ハンドルを基部に連結して長ハンドルの表面接触器具を構成するようになっている。この器具は、ブラシ又は塗布具とし得るものである。ヘッド部材の基部を中空として、表面接触部材に分散する液体を保持させると好ましい。
2004520911.tif 000002
【特許請求の範囲】
【請求項１】
ヘッド部材及び長ハンドルを有する形態転換可能な表面接触器具であって、前記ヘッド部材は、基部と、この基部により坦持した表面接触手段とを有し、前記ヘッド部材は、前記基部が短ハンドルとして作用することにより短ハンドルの表面接触器具を構成するようになっており、前記基部に第１連結手段を設け、前記長ハンドルの一方の端部に第２連結手段を設け、この第２連結手段が前記第１連結手段と協働して前記長ハンドルを前記ヘッド部材に取外し可能に連結し長ハンドルの表面接触器具を構成するようになっていることを特徴とする表面接触器具。
【請求項２】
前記基部は、液体用の容器を形成するため中空となっており、且つこの液体を前記表面接触手段に分注するための調量開口を有する請求項１に記載の表面接触器具。
【請求項３】
前記表面接触手段を前記基部に取外し可能に取付けた請求項１に記載の表面接触器具。
【請求項４】
前記表面接触手段を前記基部に取外し可能に取付けた請求項２に記載の表面接触器具。
【請求項５】
前記長ハンドルは、一方の端部にキャップを有しており、このキャップは、頂壁部及び側壁部を有し、この側壁部の内側に前記第２連結手段を設け、前記ヘッド部材をこのキャップ内に取付けると共に、この第２連結手段が前記基部の第１連結手段と協働することにより前記ヘッド部材をキャップ内に保持するようになっている請求項１に記載の表面接触器具。
【請求項６】
前記キャップは、前記ヘッド部材をキャップ内から取外すためのイジェクタ手段を有する請求項５に記載の表面接触器具。
【請求項７】
前記イジェクタ手段は、前記キャップの頂壁部に形成したフラップを具え、このフラップは、その遊端部に、ヘッド部材に接触するイジェクタフィンガを有する請求項６に記載の表面接触器具。
【請求項８】
前記第２連結手段は、前記キャップの側壁部の内面から径方向内方へ突出した１組の衝合部と、この側壁部の内面から径方向内方へ突出した１組の止め部とを具えており、これら止め部は衝合部より僅かに上に位置し、前記第１連結手段は、前記ヘッド部材に円形状のフランジを具え、このヘッド部材を前記長ハンドルに連結するとフランジが前記衝合部と前記止め部との間に位置するようになっている請求項５に記載の表面接触器具。
【請求項９】
前記キャップは、前記ヘッド部材をキャップ内から取外すためのイジェクタ手段を有する請求項８に記載の表面接触器具。
【請求項１０】
前記イジェクタ手段は、前記キャップの頂壁部に形成したフラップを具え、このフラップは、その遊端部に、ヘッド部材に接触するイジェクタフィンガを有し、フラップを押し下げると、ヘッド部材のフランジを押圧してキャップの衝合部を通過させるようになっている請求項９に記載の表面接触器具。
【請求項１１】
前記長ハンドルは、一方の端部にキャップを有しており、このキャップは、頂壁部及び側壁部を有し、この側壁部の内側に前記第２連結手段を設け、ヘッド部材をこのキャップ内に取付けて、第２連結手段が前記基部の第１連結手段と協働して前記ヘッド部材をキャップ内に保持するようになっている請求項２に記載の表面接触器具。
【請求項１２】
前記キャップは、前記ヘッド部材をキャップ内から取外すためのイジェクタ手段を有する請求項１１に記載の表面接触器具。
【請求項１３】
前記イジェクタ手段は、前記キャップの頂壁部に形成したフラップを具え、このフラップは、その遊端部に、ヘッド部材に接触するイジェクタフィンガを有する請求項１２に記載の表面接触器具。
【請求項１４】
前記第２連結手段は、前記キャップの側壁部の内面から径方向内方へ突出した１組の衝合部と、この側壁部の内面から径方向内方へ突出した１組の止め部とを具えており、これら止め部は衝合部より僅かに上に位置し、第１連結手段は、前記ヘッド部材に円形状のフランジを具え、このヘッド部材を前記長ハンドルに連結するとこのフランジが前記衝合部と前記止め部との間に位置するようになっている請求項１１に記載の表面接触器具。
【請求項１５】
前記キャップは、前記ヘッド部材をキャップから取外すためのイジェクタ手段を有する請求項１４に記載の表面接触器具。
【請求項１６】
前記イジェクタ手段は、前記キャップの頂壁部に形成したフラップを具え、このフラップは、その遊端部に、ヘッド部材に接触するイジェクタフィンガを有し、フラップを押し下げると、ヘッド部材のフランジを押圧してキャップの衝合部を通過させるようになっている請求項１５に記載の表面接触器具。
【請求項１７】
前記長ハンドルは、一方の端部にキャップを有しており、このキャップは、頂壁部及び側壁部を有し、この側壁部の内側に前記第２連結手段を設け、ヘッド部材をこのキャップ内に取付けて、第２連結手段が前記基部の第１連結手段と協働して前記ヘッド部材をキャップ内に保持するようになっている請求項４に記載の表面接触器具。
【請求項１８】
前記キャップは、前記ヘッド部材をキャップから取外すためのイジェクタ手段を有する請求項１７に記載の表面接触器具。
【請求項１９】
前記イジェクタ手段は、前記キャップの頂壁部に形成したフラップを具え、このフラップは、その遊端部に、ヘッド部材に接触するイジェクタフィンガを有する請求項１８に記載の表面接触器具。
【請求項２０】
前記第２連結手段は、前記キャップの側壁部の内面から径方向内方へ突出した衝合部の組と、この側壁部の内面から径方向内方へ突出した止め部の組とを具えており、これら止め部は衝合部より僅かに上に位置し、第１連結手段は、前記ヘッド部材に円形状のフランジを具え、このヘッド部材を前記長ハンドルに連結するとフランジが前記衝合部と前記止め部との間に位置するようになっている請求項１７に記載の表面接触器具。
【請求項２１】
前記キャップは、前記ヘッド部材をキャップから取外すためのイジェクタ手段を有する請求項２０に記載の表面接触器具。
【請求項２２】
前記イジェクタ手段は、前記キャップの頂壁部に形成したフラップを具え、このフラップは、その遊端部に、ヘッド部材に接触するイジェクタフィンガを有し、フラップを押し下げると、ヘッド部材のフランジを押圧してキャップの衝合部を通過させるようになっている請求項２１に記載の表面接触器具。
【請求項２３】
前記長ハンドルは、ヘッド部材をこの長ハンドルから取外し、長ハンドルからヘッド部材を分離するイジェクタ手段を有する請求項１に記載の表面接触器具。
【請求項２４】
前記長ハンドルは、ヘッド部材をこの長ハンドルから取外し、長ハンドルからヘッド部材を分離するイジェクタ手段を有する請求項２に記載の表面接触器具。
【発明の詳細な説明】
【技術分野】
【０００１】
１．本発明の技術分野
本発明は、表面接触器具に関するものである。
本発明は、とりわけ、長ハンドル付き器具と短ハンドル付き器具との間で形態転換可能な表面接触器具に関するものである。
【０００２】
２．関連する技術の記載（ＣＦＲ§§１．９７〜１．９９により開示されている情報を含む）
人間が体を洗うときには、自分の背中を洗うことができる、長ハンドル付き洗浄ブラシのように長ハンドル付き表面接触用具があると望ましい。しかし、長ハンドル付き洗浄ブラシは、体の他の部分を洗うには不便である。通常、体の他の部分を洗うためには、もう１つの短ハンドル付きのブラシを用いる。
【０００３】
洗浄液の供給部を独自に有する、洗浄ブラシ等の表面接触器具があることも知られている。この洗浄ブラシは、容器を有しており、ブラシにより坦持した洗浄手段まで、容器から洗浄液を分注するようになっている。
【０００４】
また、日焼け止めローションのようなスキンローションの供給部を独自に有する、塗布具（アプリケータ）のような表面接触器具も知られている。この塗布具は、容器を有しており、この容器は、塗布具により坦持した塗布部材まで、容器からローションを分注するようになっている。
【０００５】
容器を具えた既知の表面接触用具は、短ハンドル又は長ハンドルのいずれかであり、双方を有しているものはなかった。
【０００６】
発明の概要
本発明の目的は、必要なときに短ハンドル付き表面接触用具に容易に転換することができる単一の長ハンドル付き表面接触用具を提供し、２個の個別の用具を必要としないようにすることである。
【０００７】
本発明によれば、ヘッド部材及び長ハンドルを有する長ハンドル付き表面接触部材が提供される。この長ハンドルは、基部と、この基部により坦持した表面接触手段とを有する。表面接触手段は、スポンジ、剛毛セットなどとすることができる。第１連結手段を、ヘッド部材、好ましくは、基部に設ける。第２連結手段を長ハンドルの一方の端部に設ける。この第２連結手段が、第１連結手段と協働して長ハンドルの一方の端部をヘッド部材に取外し可能に連結する。このことにより、長ハンドル付き用具により背中の全ての部分に届くようになる。体の他の部分に接触するために短ハンドルの用具が必要な場合には、長ハンドルをヘッド部材から取外すことができる。この場合、短ハンドルを構成する、ヘッド部材の基部を握ることになる。つまり、ヘッド部材はそれのみで短ハンドルの表面接触用具を構成することになる。
【０００８】
ヘッド部材の基部を中空として液体を保持するための容器とすると好ましい。この液体は石鹸のような洗浄液とすることができる。基部の調量開口は、測定された量の液体を基部により坦持した表面接触手段に供給する。
【０００９】
本発明は、ヘッド部材及び長ハンドルを有する形態転換可能な表面接触器具に特に関するものである。ヘッド部材は、基部と、この基部により坦持した表面接触手段とを有する。ヘッド部材は、基部を短ハンドルとして作用させることにより短ハンドルの表面接触器具を構成するようになっている。第１連結手段を基部に設け、第２連結手段を長ハンドルの一方の端部に設ける。第２連結部は、この第１連結部と協働して長ハンドルを基部に連結し長ハンドルの表面接触器具を構成する。
【００１０】
ヘッド部材の基部を中空として、液体を保持する容器を設けると好ましい。基部の開口は、表面接触手段への液体を調量する。
【００１１】
好ましい実施例の説明
図１〜４に示す形態転換可能な表面接触器具１は、ヘッド部材３と長ハンドル５とを有する。ヘッド部材３は、基部７及び表面接触部材９を有しており、この表面接触部材９は、基部７により支持されその下方に突出している。図示するように、基部７は、頂面１１と円筒状側面１３と平坦な底面１５とを具える中実の部材とすることができる。頂面１１は、図示するようにドーム状とするのが好ましい。表面接触部材９は、平坦な底面１５上に取付けたスポンジ１９を具える。
【００１２】
基部７に第１連結手段２３を設ける。第１連結手段２３は、側面１３の頂部付近で基部７の側面１３を取り囲むフランジ２５の形態であり、このフランジ２５は、基部７の底面１５にほぼ平行であり、径方向に外方に突出している。
【００１３】
上述したヘッド部材３は、握ることができるようになっており、基部７を短ハンドルとして機能させて、ヘッド部材３のみで、洗浄ブラシのような短ハンドルの表面接触器具として使用することができる。使用者は、基部７、特に具体的にはフランジ２５の下方にある、基部７の側面１３を指で握って、基部と、この基部により坦持される表面接触部材９とを操作する。
【００１４】
長ハンドル５は、一方の端部に、基部７上に装着するような寸法としたキャップ２７を有する。キャップ２７は、長ハンドル５の頂壁部３１に滑らかに連続する頂壁部２９と、ハンドルの側壁部３５に滑らかに連続する円形状の側壁部３３とを有する。キャップ２７に第２連結手段３９を設け、基部７の第１連結手段２３と協働させて長ハンドル５をヘッド部材３に分離可能に連結する。第２連結手段３９には、側壁部３３の底端部４３付近で、キャップ２７の側壁部３３の内面から径方向内方に突出する衝合部４１を設ける。側壁部３３の周りに等間隔に離して設けた３個の衝合部４１を示す。第２連結手段３９には、側壁部３３の内面から径方向内方に突出する３個の止め部４５も設ける。これら止め部４５は、互いに等間隔に離れており且つ衝合部４１の間の等距離の位置に存在する。止め部４５の底部４７は、ヘッド部材３のフランジ２５の厚みと同じか又は僅かに大きい距離だけ衝合部４１から上方へ離れている。止め部４５は、図面で見た際に縦方向に細長くなるようにして側壁部３３に剛性を付与するのが好ましい。
【００１５】
ヘッド部材３をキャップ２７の側壁部３３内で押上げて、図４に示すように、フランジ２５を、衝合部４１を通過させて衝合部４１の頂部と止め部４５の底部４７との間にロックすることにより、ヘッド部材３をハンドル５のキャップ２７内に取付ける。ヘッド部材３をキャップ２７内に取付けると、表面接触部材９が、キャップ２７の下方に位置し、また、基部７の頂面１１が、キャップ２７の頂壁部２９の下方に僅かに離れて位置する。
【００１６】
ハンドル５におけるキャップ２７の頂壁部２９内に、ヘッド部材３をキャップ２７内から外方に押出すためのイジェクタ５１を設ける。イジェクタ５１は、Ｕ字状のスロット５５により、キャップ２７の頂壁部３３に形成したフラップ５３を具える。頂壁部２９の頂面にある真直ぐな浅い溝５７は、スロット５５の両方の端部を結びフラップ５３のためのヒンジをなす。フラップ５３は、ハンドル５の頂壁部３１付近で、溝５７がハンドル５から最も離れた状態で頂壁部２９に位置する。フラップ５３の前方エッジ６３付近からイジェクタフィンガ６１が下方に突出している。図４に示すように、ヘッド部材３をキャップ２７内に取付けると、このイジェクタフィンガ６１の底部エッジ６５がヘッド部材３の頂面１１に衝合する。イジェクタフィンガ６１の背面とフラップ５３の底面との間に補強リブ６７を延在させる。前方エッジ６３付近でフラップ５３を押し下げると、イジェクタフィンガ６１がヘッド部材３を押圧し、ヘッド部材３のフランジ２５が衝合部４１を通過して移動させ、ハンドル５からヘッド部材３を迅速且つ容易に取り外すことができる。
【００１７】
長ハンドル５をヘッド部材３の基部７に取付けると、長ハンドルの表面接触器具が得られる。長ハンドル５を取り外すと、基部７が短ハンドルを構成して、ヘッド部材３のみで短ハンドルの表面接触器具として使用される。
【００１８】
表面接触器具１は、長ハンドル及び短ハンドルの両方の洗浄ブラシとして用いることができる。この器具は、日焼け止めローションのようなローションを塗るための塗布具としても使用できる。ローションを表面接触部材９に塗布して、長ハンドル又は短ハンドルの形態の表面接触器具を用いてローションを体に塗る。表面接触器具は、長ハンドル又は短ハンドルの形態のペイントブラシとしても用いることができる。表面接触部材９を、スポンジとして説明してきた。しかし、表面接触部材９は、剛毛セット、吸収性材料の層又はパッドのようなものとすることができる。
【００１９】
表面接触部材９は、基部７の底面１５に恒久的に取付けられているものとして説明してきた。しかし、表面接触部材９を、基部７に分離可能に取付け得るようにすることにより、器具を何に使用するかに応じて様々な種類の表面接触部材９を使用することができるようになる。例えば図５に示すように、スポンジ等の表面接触部材９′を、薄肉で剛性の支持体７１の一方の側に恒久的に取付けることができる。支持体７１の他方の側にフック及びアイタイプの固定手段７５、例えばVelcro(登録商標)の一方の部片７３を取付けることができ、基部７′の底面１５′にフック及びアイタイプの固定手段７５の他方の部片７７を取付けることができる。従って、表面接触部材９′を坦持する支持体７１を、基部７′に分離可能に連結し且つ取り替えることができる。その他の種類の好適な固定手段７５を用いることもできる。
【００２０】
好適な実施例においては、図６に示すように、ヘッド部材３の基部７″を中空にして、石鹸や日焼け止めローション等の液体を保持するための容器８１とする。この基部７″は、円筒状側壁部８３と、ドーム状とするのが好ましい頂壁部８５と、平坦な底壁部８７とを有する。底壁部８７は、製造を容易にするために側壁部８３から分離させるが、好ましくは側壁部８３に恒久的に取付ける。容器を充填するのに使用する液体注入口８９を頂壁部８５に設け、この頂壁部８５の外側に連結した封止部９１により封止する。封止部９１は、摩擦性に液体注入口８９内に嵌合してこれを封止する。液体は、容器８１から、基部７″の底壁部８７にある少なくとも１個の調量開口９３を通って、底壁部８７に取付けた表面接触部材９″に流れる。この開口９３は、容器８１から器具の表面接触部材９″への液体の流れを制御する。
【００２１】
底壁部８７を、側壁部８３に恒久的に取付けるものとして説明してきた。しかし、底壁部８７は、好適な封止手段により側壁部８３に分離可能に取付けることができる。分離可能に取付ける場合には、複数の底壁部８７のそれぞれに、底壁部８７に取付ける様々な種類の表面接触部材９″を具えたものを用意して、所望の使用方法にあわせて交換することができるようになる。代案として、底壁部を側壁部に恒久的に取付け、表面接触部材を剛性の支持体に恒久的に取付け、次に、図５に示すように、この支持体を基部７″の底壁部８７に分離可能に連結することもできる。
【００２２】
長ハンドル５とヘッド部材３との間の連結手段を、スナップ方式の弾性的な連結部として説明してきた。しかし、長ハンドル５とヘッド部材３との間には他の連結手段を用いることができる。例えば、基部７Ａの第１連結手段２３Ａを、図７に示すように側壁部１３Ａ上の雄ねじ９５とすることができる。キャップ２７Ａの側壁部３３Ａを環状部材として、第２連結手段３９Ａを、長ハンドル５Ａにおけるキャップ２７Ａの側壁部３３Ａ内部の雌ねじ９７とすることができる。これらねじ９５，９７により、長ハンドル５Ａをヘッド部材３Ａ上にねじ付けて長ハンドルの表面接触器具を形成することができる。ヘッド部材３Ａから長ハンドル５Ａをねじ取ることにより長ハンドル５Ａを取外すと、ヘッド部材３Ａだけで短ハンドルの表面接触器具として用いることができる。ねじの形態の連結手段は、中実又は中空の基部に用いることができる。その他の好適な連結手段を長ハンドルとヘッド部材との間の用いることができる。
【００２３】
ヘッド部材３をそれのみで短ハンドルの表面接触器具として用いる場合には、このヘッド部材３は、基部のフランジ２５の下方にある側壁部１３で把持されるものと説明してきた。頂壁部及び側壁部の双方において基部７を成形して、この基部７を握るための良好なハンドル形状とすることもできる。
【００２４】
長ハンドル５及び基部７は、成形プラスチック材料から形成するのが好ましいが、この材料は、長ハンドル５の第２連結手段３９がある程度動いて基部７の第１連結手段２３にスナップ嵌合し得るものとする。
【図面の簡単な説明】
【００２５】
【図１】形態転換可能な表面接触器具の分解斜視図である。
【図２】表面接触器具の詳細な分解断面図である。
【図３】長ハンドルの詳細な底面図である。
【図４】ヘッド部材に長ハンドルを連結した状態を示す詳細な断面図である。
【図５】他の実施例における表面接触器具の詳細な分解断面図である。
【図６】好ましい実施例におけるヘッド部材の断面図である。
【図７】さらに他の実施例における表面接触器具の詳細な分解断面図である。
【国際公開パンフレット】
2004520911.tif 000003
2004520911.tif 000004
2004520911.tif 000005
2004520911.tif 000006
2004520911.tif 000007
2004520911.tif 000008
2004520911.tif 000009
2004520911.tif 000010
2004520911.tif 000011
2004520911.tif 000012
2004520911.tif 000013
2004520911.tif 000014
2004520911.tif 000015
2004520911.tif 000016
2004520911.tif 000017
【国際調査報告】
2004520911.tif 000018
2004520911.tif 000019
2004520911.tif 000020